(57)【要約】【課題】充電ケーブルを収納する際、使用者の手が汚れることを抑制する充電ケーブル装置を提供する。【解決手段】充電ケーブル装置１０では、グリップ３０の重心は、ケーブル２０の径方向外方に位置する。そして把持部３１は、重心の反対側に位置する。したがってグリップ３０を地面に置いたとき、重心のある部分が下になりやすいので、把持部３１が上に位置するようになる。これによってグリップ３０を地面に置いた場合、把持部３１が地面との接触に起因して汚れることを防止することができる。したがって使用者は、把持部３１を把持することによって、ケーブル２０を把持して、収納などをすることができる。【選択図】図１
2013179756.tif 000002
【特許請求の範囲】
【請求項１】
給電源（１２）から車両（１１）へ電力を供給する電力ラインを有するケーブル（２０）と、
前記ケーブルの一端に設けられ、前記車両への充電時に前記車両の充電口に装着される充電ガン（２１）と、
前記ケーブルの中間部の外周に設けられるグリップ（３０）と、を含み、
前記グリップは、
前記ケーブルの軸方向に直交する仮想平面における重心が、前記ケーブルの径方向外方に位置し、
前記重心の前記ケーブルに対する反対側に、前記グリップを把持するための把持部（３１）を有することを特徴とする充電ケーブル装置。
【請求項２】
前記給電源には、前記充電ガンを装着するガンホルダ（１３）、および前記グリップを装着するグリップホルダ（１４）が設けられていることを特徴とする請求項１に記載の充電ケーブル装置。
【請求項３】
前記グリップは、前記ケーブルの軸方向への変位は規制され、前記ケーブルに対して角変位可能に設けられていることを特徴とする請求項１または２に記載の充電ケーブル装置。
【発明の詳細な説明】
【技術分野】
【０００１】
本発明は、給電スタンド等の給電源から車両へ電力を供給する充電ケーブル装置に関する。
【背景技術】
【０００２】
従来から、給電源である給電スタンド等から延びるケーブルの先端に車両の充電口に装着される充電ガンが設けられた充電ケーブル装置が知られている。一般的に、充電口の位置が異なる複数の車種に対応できるとともに、充電スタンドに対する車両の駐車位置や駐車方向の変動にも対応できるように、充電ケーブル装置には比較的長尺のケーブルが採用される。このような充電用接続ケーブルを巻き取って箱に収納し、充電するときにコードリールからケーブルを引き出して用いている構成が、特許文献１に開示されている。
【先行技術文献】
【特許文献】
【０００３】
【特許文献１】特開２０１０−１１５０３７号公報
【発明の概要】
【発明が解決しようとする課題】
【０００４】
前述の特許文献１に記載の技術では、コードリールからケーブルを引き出して充電すると、充電中に充電ケーブルが地面に接することが考えられる。地面に接すると充電ケーブルは汚れるので、汚れが引っかかるなどしてコードリールに不具合を発生するおそれがある。またコードリールを使わない構成であると、使用者が充電ケーブルを収納する必要があり、手が汚れてしまうという問題がある。
【０００５】
そこで、本発明は前述の問題点を鑑みてなされたものであり、充電ケーブルを収納する際、使用者の手が汚れることを抑制する充電ケーブル装置を提供することを目的とする。
【課題を解決するための手段】
【０００６】
本発明は前述の目的を達成するために以下の技術的手段を採用する。
【０００７】
本発明は、給電源（１２）から車両（１１）へ電力を供給する電力ラインを有するケーブル（２０）と、ケーブルの一端に設けられ、車両への充電時に車両の充電口に装着される充電ガン（２１）と、ケーブルの中間部の外周に設けられるグリップ（３０）と、を含み、グリップは、ケーブルの軸方向に直交する仮想平面における重心が、ケーブルの径方向外方に位置し、重心のケーブルに対する反対側に、グリップを把持するための把持部（３１）を有することを特徴とする充電ケーブル装置である。
【０００８】
このようにグリップの重心は、ケーブルの径方向外方に位置する。そして把持部は、重心の反対側に位置する。したがってグリップを地面に置いたとき、重心のある部分が下になりやすいので、把持部が上に位置するようになる。これによってグリップを地面に置いた場合、把持部が地面との接触に起因して汚れることを防止することができる。したがって使用者は、把持部を把持することによって、ケーブルを把持して、収納などをすることができる。
【０００９】
なお、前述の各手段の括弧内の符号は、後述する実施形態に記載の具体的手段との対応関係を示す一例である。
【図面の簡単な説明】
【００１０】
【図１】充電ケーブル装置の概略構成を示す模式図である。
【図２】グリップを示す斜視図である。
【図３】充電ケーブル装置の操作を説明するための模式図である。
【図４】充電ケーブル装置の概略構成を示す正面図である。
【図５】他の例のグリップ３０Ａを示す斜視図である。
【図６】第２実施形態のグリップ３０Ｂを示す斜視図である。
【図７】第３実施形態のグリップ３０Ｃを示す斜視図である。
【図８】第４実施形態のグリップ３０Ｄを示す斜視図である。
【図９】第５実施形態のグリップ３０Ｅを示す斜視図である。
【図１０】第６実施形態の充電スタンド１２Ｆを示す斜視図である。
【図１１】第７実施形態の充電スタンド１２Ｇを示す斜視図である。
【発明を実施するための形態】
【００１１】
以下、図面を参照しながら本発明を実施するための形態を、複数の形態について説明する。各実施形態で先行する実施形態で説明している事項に対応している部分には同一の参照符を付すか、または先行の参照符号に一文字追加し、重複する説明を略する場合がある。また各実施形態にて構成の一部を説明している場合、構成の他の部分は、先行して説明している実施形態と同様とする。各実施形態で具体的に説明している部分の組合せばかりではなく、特に組合せに支障が生じなければ、実施形態同士を部分的に組合せることも可能である。
【００１２】
（第１実施形態）
本発明の第１実施形態に関して、図１〜図５を用いて説明する。図１に示すように、充電ケーブル装置１０は、例えばモータを走行駆動源とする電気自動車やプラグインハイブリッド自動車等の車両１１に搭載された電池に充電を行う際に、給電源である充電スタンド１２から車両１１へ電力を供給するためのものである。
【００１３】
充電ケーブル装置１０は、充電スタンド１２から延びるケーブル２０と、ケーブル２０の先端に設けられた充電ガン２１とを備えている。ケーブル２０は、充電スタンド１２から車両１１へ電力を供給するための電力ラインや充電スタンド１２と車両１１との間で通信を行うための信号ラインを内部に有している。充電ガン２１の先端には、車両１１の充電口（充電リッド）に接続する接続端子部が設けられている。
【００１４】
また充電スタンド１２には、充電ガン２１を収容するためもガンホルダ１３が設けられる。ガンホルダ１３は、内方に凹となる凹部によって実現される。使用者は、充電作業完了後には、充電ガン２１をガンホルダ１３に差し込むことによって、充電ガン２１を充電スタンド１２に装着することができる。
【００１５】
図１に示すように、ケーブル２０には、比較的長尺のケーブル２０が用いられる。これは、車種により充電口の位置が異なる場合があること、および、充電スタンド１２に対して車両１１の駐車位置や駐車方向が異なる場合があることに対応するためである。そのため、充電ガン２１が車両１１の充電口に装着された状態では、長尺のケーブル２０の中間部は、車両１１が駐車する駐車面（駐車する地面もしくは床面）上に置かれる。
【００１６】
ケーブル２０の中間部は、ケーブル２０のうち、充電ガン２１側で駐車面よりも上方に位置する手元部（充電ガン２１側端部）および充電スタンド１２側で駐車面よりも上方に位置するスタンド側端部を除く部分である。
【００１７】
ケーブル２０の中間部の外周には、ケーブル２０を使用者が把持するためのグリップ３０が設けられている。グリップ３０は、ケーブル２０の軸方向に直交する仮想平面における重心が、ケーブル２０の径方向外方に位置する。換言すると、グリップ３０は、ケーブル２０に対して回転モーメントを作用するように、質量バランスが偏っている。またグリップ３０は、重心のケーブル２０に対する反対側に、使用者がグリップ３０を把持するための把持部３１を有する。
【００１８】
グリップ３０は、図２に示すように、２枚の三角形板３２をその３つの頂点を３本の円柱３３によって連結して構成されている。そしてケーブル２０は、２枚の三角形板３２の中心を貫通するように配置される。３本の円柱３３のうち、図２の上方に位置する１本が把持部３１になる。そして残余の２本の円柱３３よりも、把持部３１は重くなるように材料が選択されている。これによって把持部３１のケーブル２０に対する反対側が重心となる。したがってグリップ３０を地面に置いたときに、自然と回転モーメントによって、把持部３１が上になりやすくなる。
【００１９】
またグリップ３０は、ケーブル２０の軸方向への変位は規制され、ケーブル２０に対して角変位可能に設けられている。したがってグリップ３０は、ケーブル２０に対する軸方向の位置は固定されている。グリップ３０は、非充電時にケーブル２０をコンパクトに取り纏める際に把持するに好ましい所定位置に形成されている。またグリップ３０がケーブル２０に対して角変位可能であるので、グリップ３０を地面に載置したあと、充電ガン２１の位置や姿勢を変更する場合は、グリップ３０がひっくり返ることを抑制することができる。
【００２０】
また充電スタンド１２には、グリップ３０を装着するためのグリップホルダ１４が設けられる。グリップホルダ１４は、鉄などの磁性材料であり、グリップ３０には、磁石が内蔵されている。磁石は、たとえば三角形板３２の下方の辺に内蔵されている。そしてグリップ３０の磁石をグリップホルダ１４にくっつけることによって、グリップホルダ１４に装着することができる。磁石を用いることによって、グリップホルダ１４に対する装着位置の自由度が向上することができる。またケーブル２０の保持等のために、車両１１など充電スタンド１２以外の鉄製部にくっつけても良い。また充電スタンド１２の外形を鉄などの磁性材料から構成し、充電スタンド１２の側面全体をグリップホルダ１４として機能するように構成してもよい。これによってよりグリップ３０の装着の自由度を向上することができる。
【００２１】
次に、上記構成の充電ケーブル装置１０の作動について説明する。車両１１への充電が終了した後に、図３に示すように、使用者は、まず、一方の手で充電ガン２１を車両１１の充電口から離脱させる。次に、駐車面上に置かれたグリップ３０を他方の手で把持する。
【００２２】
充電ガン２１とケーブル２０のグリップ３０を把持したら、充電ガン２１を充電スタンド１２のガンホルダ１３に装着するとともに、グリップ３０を充電スタンド１２のグリップホルダ１４に装着する。これにより、ケーブル２０は、充電スタンド１２の前面に沿って上下方向に大きく蛇行するように垂れ下り、コンパクトに取り纏められる（図４参照）。
【００２３】
これによると、車両１１への充電が終了した際には、使用者は、充電ガン２１を握って充電ガン２１を充電口から離脱させた後、駐車面上に置かれたケーブル２０のグリップ３０を把持するので、ケーブル２０に触れることなく、図４に示すように、ケーブル２０の収納をすることができる。したがって、駐車面上に中間部が置かれたケーブル２０を取り纏め作業する際に、手が汚れて使用者が不快を感じることを防止することができる。
【００２４】
従来から、駐車面上に置かれたケーブル２０に触れることなくケーブル２０を取り纏める方法として、ケーブル２０をコードリールに巻き取る方法が知られている。しかしながら、汚れたケーブル２０をコードリールに巻き取る場合には、ケーブル２０に付着した異物等により巻取りを良好に行い難いという不具合を発生する場合がある。また、ケーブル２０をコードリールに巻き取ると、巻き取り後の体格が比較的大きくなってしまうという問題もある。
【００２５】
本実施形態の充電ケーブル装置１０によれば、ケーブル２０に異物等が付着していたとしても、ケーブル２０の取り纏めを行い難くなることはない。また、ケーブル２０の取り纏め後の体格も比較的コンパクトにすることが可能である。
【００２６】
以上説明したように本実施形態の充電ケーブル装置１０では、グリップ３０の重心は、ケーブル２０の径方向外方に位置する。そして把持部３１は、重心の反対側に位置する。したがってグリップ３０を地面に置いたとき、重心のある部分が下になりやすいので、把持部３１が上に位置するようになる。これによってグリップ３０を地面に置いた場合、把持部３１が地面との接触に起因して汚れることを防止することができる。したがって使用者は、把持部３１を把持することによって、ケーブル２０を把持して、収納などをすることができる。
【００２７】
また本実施形態では、給電源である充電スタンド１２には、充電ガン２１を装着するガンホルダ１３、およびグリップ３０を装着するグリップホルダ１４が設けられている。これによって充電ガン２１およびグリップ３０を充電スタンド１２に装着することができる。したがって使用者は、充電ガン２１およびグリップ３０を持って、ケーブル２０を充電スタンド１２に収納することができる。
【００２８】
本実施形態では、グリップ３０は、２枚の三角形板３２をその３つの頂点を３本の円柱３３によって連結して構成されているが、三角形板３２に限るものではない。図５に示すように、三角形板３２に替えて、Ｙ字状の板４０を２枚用いてグリップ３０Ａを構成することによって、軽量化することができる。
【００２９】
（第２実施形態）
次に、本発明の第２実施形態に関して、図６を用いて説明する。本実施形態では、グリップ３０Ｂの構成が前述の第１実施形態と異なる。グリップ３０Ｂは、図６に示すように、地面に接する平板状の底部５０および底部５０から上方に突出する把持部３１Ｂとを有する。ケーブル２０は、底部５０と把持部３１Ｂとの接続部分の内部を通過するように設けられる。また底部５０の質量は、把持部３１Ｂよりも大きくなるように材料や形状が決定される。これによって重心が底部５０内であって、ケーブル２０の下方に位置するようになる。このようなグリップ３０Ｂは、底部５０の下面を地面に載置することによって、安定しやすい。またグリップ３０Ｂを地面に置いたときに、自然と回転モーメントによって、把持部３１Ｂが上になりやすくなる。したがって前述の第１実施形態と同様の作用および効果を達成することができる。
【００３０】
（第３実施形態）
次に、本発明の第３実施形態に関して、図７を用いて説明する。本実施形態では、グリップ３０Ｃの構成が前述の第１実施形態と異なる。グリップ３０Ｃは、図７に示すように、地面に接する平板状の底部５０Ｃ、底部５０Ｃの両端部から上方に突出する２つの側部５１、および側部５１を連結する把持部３１Ｃとを有する。側部５１は、三角形板状に形成される。把持部３１Ｃは、側部５１の上方の頂点を結ぶ１本の円柱によって構成される。
【００３１】
ケーブル２０は、把持部３１Ｃの内部を通過するように設けられる。また底部５０Ｃの質量は、側部５１および把持部３１Ｃよりも大きくなるように材料や形状が決定される。これによって重心が底部５０Ｃ寄りであって、ケーブル２０の下方に位置するようになる。このようなグリップ３０Ｃは、底部５０Ｃの下面を地面に載置することによって、安定しやすい。またグリップ３０Ｃを地面に置いたときに、自然と回転モーメントによって、把持部３１Ｃが上になりやすくなる。したがって前述の第１実施形態と同様の作用および効果を達成することができる。
【００３２】
（第４実施形態）
次に、本発明の第４実施形態に関して、図８を用いて説明する。本実施形態では、グリップ３０Ｄの構成が前述の第１実施形態と異なる。グリップ３０Ｄは、図８に示すように、２枚のＶ字状の板５２を３本の円柱３３Ｄによって連結して構成されている。そしてケーブル２０は、図８の上方に位置する円柱３３Ｄ内を通過するように構成される。また３本の円柱３３Ｄのうち、図８の上方に位置する１本が把持部３１Ｄになる。そして残余の２本の円柱３３Ｄよりも、把持部３１Ｄは重くなるように材料が選択されている。これによって把持部３１Ｄのケーブル２０に対する反対側が重心となる。したがってグリップ３０Ｄを地面に置いたときに、自然と回転モーメントによって、把持部３１Ｄが上になりやすくなる。したがって前述の第１実施形態と同様の作用および効果を達成することができる。
【００３３】
（第５実施形態）
次に、本発明の第５実施形態に関して、図９を用いて説明する。本実施形態では、グリップ３０Ｅの構成が前述の第１実施形態と異なる。グリップ３０Ｅは、図９に示すように、楕円柱状に構成される。そしてケーブル２０は、楕円柱の中央を通過するように構成される。把持部３１Ｅは、楕円柱の側面に形成される凹部によって実現される。またグリップ３０Ｅの内部には、重りが図９の下方に設けられている。したがって、把持部３１Ｅのケーブル２０に対する反対側が重心となる。したがってグリップ３０Ｅを地面に置いたときに、自然と回転モーメントによって、把持部３１Ｅが上になりやすくなる。したがって前述の第１実施形態と同様の作用および効果を達成することができる。
【００３４】
（第６実施形態）
次に、本発明の第６実施形態に関して、図１０を用いて説明する。本実施形態では、グリップホルダ１４Ｆの構成が前述の第１実施形態と異なる。グリップホルダ１４Ｆは、図１０に示すように、充電スタンド１２Ｆの側面には設けられるＬ字状のフック６１によって実現される。そしてグリップ３０Ｅの側面には、環状の突起６０が設けられている。この突起６０をフック６１に引っかけることによって、グリップ３０Ｅを充電スタンド１２に装着することができる。このように簡単な構成によって、グリップホルダ１４Ｆを実現することができる。
【００３５】
（第７実施形態）
次に、本発明の第７実施形態に関して、図１１を用いて説明する。本実施形態では、グリップホルダ１４Ｇの構成が前述の第１実施形態と異なる。グリップホルダ１４Ｇは、図１１に示すように、充電スタンド１２Ｇの側面には設けられる矩形状の凹部７０によって実現される。凹部７０の内壁には、弾性を有する爪部７１が設けられている。この凹部７０にグリップ３０Ｅの底部５０Ｇを嵌合することによって、爪部７１が底部５０Ｇの側面に係合し、グリップ３０Ｇを充電スタンド１２Ｇに装着することができる。このように簡単な構成によって、グリップホルダ１４Ｇを実現することができる。
【００３６】
（その他の実施形態）
以上、本発明の好ましい実施形態について説明したが、本発明は上述した実施形態に何ら制限されることなく、本発明の主旨を逸脱しない範囲において種々変形して実施することが可能である。
【００３７】
上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００３８】
前述の第１実施形態では、充電ケーブル装置１０は、給電源である充電スタンド１２から延びるものであったが、これに限定されるものではない。例えば、ケーブル２０の一端に充電ガン２１が設けられ、他端にコンセント用のプラグが設けられた充電ケーブル装置であってもよい。
【００３９】
すなわち、充電スタンド１２から延された充電ケーブル装置１０ではなく、例えば、電気自動車やプラグインハイブリッド自動車等の車両に付属する（例えば付属部品として搭載される）単品の充電ケーブル装置であってもよい。
【００４０】
前述の第１実施形態では、ケーブル２０は、充電スタンド１２等の給電源から車両１１へ電力を供給するための電力ラインを内部に有していたが、これに限定されるものではない。例えば、ケーブル２０は、電力ラインを介して、双方向の電力供給（給電源から車両１１への電力供給および車両１１から車両１１外部への電力供給）を行うものであってもよい。また、ケーブル２０は、電力ラインを介して、車両１１から車両１１外部への電力供給のみを行うものであってもよい。
【符号の説明】
【００４１】
１０…充電ケーブル装置
１１…車両
１２…充電スタンド
１３…ガンホルダ
１４…グリップホルダ
２０…ケーブル
２１…充電ガン
３０…グリップ
３１…把持部
【図１】
2013179756.tif 000003
【図２】
2013179756.tif 000004
【図３】
2013179756.tif 000005
【図４】
2013179756.tif 000006
【図５】
2013179756.tif 000007
【図６】
2013179756.tif 000008
【図７】
2013179756.tif 000009
【図８】
2013179756.tif 000010
【図９】
2013179756.tif 000011
【図１０】
2013179756.tif 000012
【図１１】
2013179756.tif 000013